(57)【要約】【課題】入力画像と出力画像の長手方向が異なる場合において、入力画像を規格化する際に、出力画像の天地方向を違和感のないものとする。【解決手段】読出手段１において得られた入力画像を表す入力画像データＳ０は、規格化手段２に入力される。規格化手段２の判断手段５において、入力画像と出力サイズとの長手方向が一致するか否かを判断し、一致しない場合には変更手段６において出力サイズの縦横比を変更して、入力画像と出力サイズとの縦横比を一致させる。そして、拡大手段７において出力サイズに適合するように入力画像を拡大して出力画像を得る。この出力画像を表す出力画像データＳ１は記録手段３においてＣＤ−Ｒなどの記録媒体に記録される。【選択図】図１
2007020235.tif 000002
【特許請求の範囲】
【請求項１】
所定の縦横比を有する入力画像を表す入力画像データを、予め定められた縦横比および所定の出力サイズを有する出力画像を表すように変換することにより得られた出力画像データを再生する画像再生方法において、
前記入力画像の長手方向と前記出力画像の長手方向とを比較し、前記入力画像の長手方向と前記出力画像の長手方向とが異なる場合に、該各長手方向が揃うように前記入力画像を回転し、前記出力サイズに適合するサイズとなるように前記回転した入力画像データを拡大縮小し、さらに前記入力画像を回転したことを表す回転情報を付与することにより得られた前記出力画像データについて、該回転情報を参照して該出力画像データを前記入力画像を回転した方向と逆方向に回転し、
該逆方向に回転された出力画像データを再生することを特徴とする画像再生方法。
【請求項２】
所定の縦横比を有する入力画像を表す入力画像データを、予め定められた縦横比および所定の出力サイズを有する出力画像を表すように変換することにより得られた出力画像データを再生する画像再生装置において、
前記入力画像の長手方向と前記出力画像の長手方向とを比較する比較手段と、前記入力画像の長手方向と前記出力画像の長手方向とが異なる場合に、該各長手方向が揃うように前記入力画像を回転する回転手段と、前記出力サイズに適合するサイズとなるように前記回転した入力画像データを拡大縮小して前記出力画像データを得る拡大手段と、前記入力画像を回転したことを表す回転情報を前記出力画像データに付与する付与手段とを備えた画像規格化装置により得られた該出力画像データについて、該回転情報を参照して該出力画像データを前記入力画像を回転した方向と逆方向に回転する回転手段と、
該逆方向に回転された出力画像データを再生する再生手段とを備えたことを特徴とする画像再生装置。
【請求項３】
所定の縦横比を有する入力画像を表す入力画像データを、予め定められた縦横比および所定の出力サイズを有する出力画像を表すように変換することにより得られた出力画像データを再生する画像再生方法をコンピュータに実行させるためのプログラムを記録したコンピュータ読取り可能な記録媒体において、
前記プログラムは、前記入力画像の長手方向と前記出力画像の長手方向とを比較し、前記入力画像の長手方向と前記出力画像の長手方向とが異なる場合に、該各長手方向が揃うように前記入力画像を回転し、前記出力サイズに適合するサイズとなるように前記回転した入力画像データを拡大縮小し、さらに前記入力画像を回転したことを表す回転情報を付与することにより得られた前記出力画像データについて、該回転情報を参照して該出力画像データを前記入力画像を回転した方向と逆方向に回転する手順と、
該逆方向に回転された出力画像データを再生する手順とを有することを特徴とするコンピュータ読取り可能な記録媒体。
【発明の詳細な説明】
【技術分野】
【０００１】
本発明は、入力画像のサイズを予め定められたサイズとなるように変換して出力画像を得る画像再生方法および装置並びに画像再生方法をコンピュータに実行させるためのプログラムを記録したコンピュータ読取り可能な記録媒体に関するものである。
【背景技術】
【０００２】
デジタル電子スチルカメラ（以下デジタルカメラとする）において取得したデジタル画像データや、フイルムに記録された画像を読取ることにより得られたデジタル画像データを、プリント等のハードコピーとしてあるいはディスプレイ上にソフトコピーとして再現する画像処理システムが提案されている。また、このような画像処理システムにおいて、デジタル画像データをＣＤ−Ｒなどの記録媒体に記録して提供することも行われている。このように、デジタル画像データを再現する場合においては、画像データに対して階調処理や色変換処理等の種々の画像処理を施した後に、画像が出力されることとなる。
【０００３】
このような画像処理システムにおいて、画像データをプリントとして出力する場合に、プリント用紙により規定される記録領域が図１６（ａ）に示すものであり、画像データにより表される入力画像が図１６（ｂ）に示すものである場合、出力領域と入力画像とで長手方向が異なるものとなる。このような場合に、プリント出力を行うと、図１６（ｃ）に示すように記録領域内に画像が収まらなくなり、入力画像の全領域をプリント用紙に記録することができなくなってしまう。
【０００４】
このため、入力画像の長手方向と記録領域の長手方向とを比較し、これが異なっている場合には、各長手方向が揃うように入力画像を回転してプリントを行うようにした方法が提案されている（特許文献１参照）。このように、画像をプリント用紙に記録する場合には、入力画像を回転させてもプリント用紙を回転すれば、天地方向の正しい画像を観察することができる。
【特許文献１】特願平１０−２５２７１８号
【発明の開示】
【発明が解決しようとする課題】
【０００５】
一方、画像データをＣＤ−Ｒなどの記録媒体に記録したり、データベースに蓄積する場合に、画像データの管理を容易に行うために、画像データにより表される入力画像が一定サイズとなるように、かつ長手方向が揃うように規格化している。ここで、規格化後の出力画像の長手方向と入力画像との長手方向とが異なる場合には、各長手方向が揃うように入力画像を回転して出力画像を得ればよい。しかしながら、画像をプリントする場合とは異なり、入力画像データを回転することにより得られた出力画像データをモニタに再生した場合、画像の天地方向が入力画像とは異なり、違和感のある画像となる。すなわち、入力画像が図１７（ａ）に示すように長手方向が縦方向にある画像の場合、入力画像を回転させた規格化後の出力画像を再生すると、図１７（ｂ）に示すように長手方向が横方向となってしまい、入力画像と出力画像との天地方向が異なるものとなってしまう。
【０００６】
本発明は上記事情に鑑みなされたものであり、違和感なく入力画像を規格化して再生できる画像再生方法および装置並びに画像再生方法をコンピュータに実行させるためのプログラムを記録したコンピュータ読取り可能な記録媒体を提供することを目的とするものである。
【課題を解決するための手段】
【０００７】
本発明による第１の画像規格化方法は、所定の縦横比を有する入力画像を表す入力画像データを、予め定められた縦横比および所定の出力サイズを有する出力画像を表す出力画像データに変換する画像規格化方法において、
前記入力画像の長手方向と前記出力画像の長手方向とを比較し、
前記入力画像の長手方向と前記出力画像の長手方向とが異なる場合に、該各長手方向が揃うように前記出力サイズの縦横比を入れ替え、
前記出力サイズに適合するサイズとなるように前記入力画像データを拡大縮小して前記出力画像データを得ることを特徴とするものである。
【０００８】
本発明による第２の画像規格化方法は、所定の縦横比を有する入力画像を表す入力画像データを、予め定められた縦横比および所定の出力サイズを有する出力画像を表す出力画像データに変換する画像規格化方法において、
前記入力画像の長手方向と前記出力画像の長手方向とを比較し、
前記入力画像の長手方向と前記出力画像の長手方向とが異なる場合に、該各長手方向が揃うように前記入力画像を回転し、
前記出力サイズに適合するサイズとなるように前記回転した入力画像データを拡大縮小して前記出力画像データを得、
前記入力画像を回転したことを表す回転情報を前記出力画像データに付与することを特徴とするものである。
【０００９】
本発明による画像再生方法は、所定の縦横比を有する入力画像を表す入力画像データを、予め定められた縦横比および所定の出力サイズを有する出力画像を表すように変換することにより得られた出力画像データを再生する画像再生方法において、
前記入力画像の長手方向と前記出力画像の長手方向とを比較し、前記入力画像の長手方向と前記出力画像の長手方向とが異なる場合に、該各長手方向が揃うように前記入力画像を回転し、前記出力サイズに適合するサイズとなるように前記回転した入力画像データを拡大縮小し、さらに前記入力画像を回転したことを表す回転情報を付与することにより得られた前記出力画像データについて、該回転情報を参照して該出力画像データを前記入力画像を回転した方向と逆方向に回転し、
該逆方向に回転された出力画像データを再生することを特徴とするものである。
【００１０】
ここで、「拡大縮小」は、１倍の拡大率により拡大縮小することをも含むものである。
【００１１】
また、「出力サイズに適合するサイズ」とは、出力サイズそのもののみならず、出力サイズを変更したサイズをも含むものである。例えば、入力画像と出力サイズとのアスペクト比が異なる場合には、出力サイズのアスペクト比を変更して入力画像のアスペクト比と同一としたサイズにすることをも含むものである。なお、入力画像と出力サイズとのアスペクト比が異なる場合において、出力サイズのアスペクト比を変更することなく入力画像を拡大縮小すると、その拡大率によっては拡大縮小された入力画像が出力サイズからはみ出したり、逆に出力サイズに足りない部分が生じる。このような場合、上述したように出力サイズのアスペクト比を変更してもよいが、出力サイズからはみ出した部分をクリップしたり、出力サイズに足りない部分を白抜きにするなどして出力画像を作成してもよい。
【００１２】
本発明による第１の画像規格化装置は、所定の縦横比を有する入力画像を表す入力画像データを、予め定められた縦横比および所定の出力サイズを有する出力画像を表す出力画像データに変換する画像規格化装置において、
前記入力画像の長手方向と前記出力画像の長手方向とを比較する比較手段と、
前記入力画像の長手方向と前記出力画像の長手方向とが異なる場合に、該各長手方向が揃うように前記出力サイズの縦横比を入れ替える変更手段と、
前記出力サイズに適合するサイズとなるように前記入力画像データを拡大縮小して前記出力画像データを得る拡大手段とを備えたことを特徴とするものである。
【００１３】
本発明による第２の画像規格化装置は、所定の縦横比を有する入力画像を表す入力画像データを、予め定められた縦横比および所定の出力サイズを有する出力画像を表す出力画像データに変換する画像規格化装置において、
前記入力画像の長手方向と前記出力画像の長手方向とを比較する比較手段と、
前記入力画像の長手方向と前記出力画像の長手方向とが異なる場合に、該各長手方向が揃うように前記入力画像を回転する回転手段と、
前記出力サイズに適合するサイズとなるように前記回転した入力画像データを拡大縮小して前記出力画像データを得る拡大手段と、
前記入力画像を回転したことを表す回転情報を前記出力画像データに付与する付与手段とを備えたことを特徴とするものである。
【００１４】
本発明による画像再生装置は、所定の縦横比を有する入力画像を表す入力画像データを、予め定められた縦横比および所定の出力サイズを有する出力画像を表すように変換することにより得られた出力画像データを再生する画像再生装置において、
前記入力画像の長手方向と前記出力画像の長手方向とを比較する比較手段と、前記入力画像の長手方向と前記出力画像の長手方向とが異なる場合に、該各長手方向が揃うように前記入力画像を回転する回転手段と、前記出力サイズに適合するサイズとなるように前記回転した入力画像データを拡大縮小して前記出力画像データを得る拡大手段と、前記入力画像を回転したことを表す回転情報を前記出力画像データに付与する付与手段とを備えた画像規格化装置により得られた該出力画像データについて、該回転情報を参照して該出力画像データを前記入力画像を回転した方向と逆方向に回転する回転手段と、
該逆方向に回転された出力画像データを再生する再生手段とを備えたことを特徴とするものである。
【００１５】
なお、本発明による画像規格化方法および画像再生方法をコンピュータに実行させるためのプログラムとして、コンピュータ読取り可能な記録媒体に記録して提供してもよい。
【発明の効果】
【００１６】
本発明による第１の画像規格化方法および装置によれば、入力画像と出力サイズとの長手方向が異なる場合に、出力サイズの縦横比を入れ替え、さらに出力サイズに適合するサイズとなるように入力画像データを拡大縮小して出力画像データを得るようにしたものである。このため、入力画像が回転されることがなくなり、これにより、入力画像を規格化する際に、入力画像の天地方向が変更されて違和感のある出力画像となることを防止することができる。
【００１７】
また、本発明による第２の画像規格化方法および装置によれば、入力画像と出力サイズとの長手方向が異なる場合に入力画像を回転し、さらに、出力サイズに適合するサイズとなるように回転した入力画像データを拡大縮小して出力画像データを得るとともに、入力画像を回転したことを表す回転情報を出力画像データに付与するようにしたものである。このため、入力画像は規格化の際に回転されるものの、回転情報が付与されているため、出力画像を再生する際にこの回転情報を参照することにより、出力画像の天地方向を入力画像の天地方向と一致させることができ、これにより、入力画像を規格化する際に、入力画像の天地方向が変更されて違和感のある出力画像となることを防止することができる。
【発明を実施するための最良の形態】
【００１８】
以下図面を参照して本発明の実施形態について説明する。
【００１９】
図１は本発明の第１の実施形態による画像規格化装置の構成を示す概略ブロック図である。図１に示すように、第１の実施形態による画像規格化装置は、デジタルカメラにより撮像された、あるいはスキャナにより読取られた入力画像データＳ０に対して規格化処理を施して出力画像データＳ１を得るものであり、入力画像データＳ０が記録されたメディアから入力画像データＳ０を読み出す、あるいはネットワークを介して転送された入力画像データＳ０を読み出す読出手段１と、読み出した入力画像データＳ０に対して規格化処理を施して出力画像データＳ１を得る規格化手段２と、出力画像データＳ１をＣＤ−Ｒなどの記録媒体に記録する、あるいは画像データベースに格納する記録手段３とを備える。なお、本実施形態において入力画像データＳ０は、図２（ａ）に示すように３００×４００画素の縦長の入力画像を表すものとし、出力画像のサイズ（以下出力サイズとする）を図２（ｂ）に示すように１２００×８００画素の横長サイズとする。
【００２０】
規格化手段２は、入力画像データＳ１により表される入力画像の長手方向と、出力サイズの長手方向とを比較して、各長手方向が一致しているか否かを判断する判断手段５と、判断手段５において入力画像と出力サイズとの長手方向が異なるものと判断された場合に、出力サイズの縦横比を変更する変更手段６と、入力画像を出力サイズと適合するように拡大する拡大手段７とを備える。
【００２１】
次いで、第１の実施形態の動作について説明する。図３は第１の実施形態の動作を示すフローチャートである。図３に示すように、まず読出手段１において入力画像データＳ０が読み出されて規格化手段２に入力される（ステップＳ１）。規格化手段２においては、判断手段５にて入力画像の長手方向と出力サイズの長手方向とが一致するか否かが判断される（ステップＳ２）。図２（ａ），（ｂ）に示すように、入力画像と出力サイズとの長手方向が一致しないと、ステップＳ２が否定されて、変更手段６において出力サイズの縦横比が変更される（ステップＳ３）。これにより、図４（ａ）に示すように、１２００×８００画素の出力サイズが８００×１２００画素に変更される。
【００２２】
このように出力サイズの縦横比が変更されると、拡大手段７において、変更後の出力サイズに適合するように入力画像が拡大される（ステップＳ４）。例えば、入力画像のサイズは３００×４００画素であり、変更後の出力サイズは８００×１２００画素であるため、図４（ｂ）に示すように、入力画像は３倍されて９００×１２００画素の拡大画像とされる。ここで、拡大画像のサイズは９００×１２００画素、変更後の出力サイズは８００×１２００画素であってアスペクト比が異なる。このため、第１の実施形態においては、図４（ｃ）に示すように拡大画像における左右５０画素分の領域をクリップして（ステップＳ５）、８００×１２００画素の拡大画像を作成し、これを出力画像とする。そして、このように作成された出力画像を表す出力画像データＳ１は、記録手段３においてＣＤ−Ｒに記録される、あるいは画像データベースに格納され（ステップＳ６）、処理を終了する。
【００２３】
なお、入力画像と出力サイズとの長手方向が一致してステップＳ２が肯定された場合は、ステップＳ４へ進み、ステップＳ４からステップＳ６の処理が行われて出力画像データＳ１が得られる。
【００２４】
このように、第１の実施形態においては、入力画像と出力サイズとの長手方向が異なる場合に、出力サイズの縦横比を入れ替え、この変更後の出力サイズに適合するように入力画像データＳ０を拡大して出力画像データＳ１を得るようにしたため、入力画像が回転されることがなくなり、これにより、入力画像を規格化する際に、入力画像の天地方向が変更されて違和感のある出力画像となることを防止することができる。
【００２５】
なお、上記第１の実施形態においては、入力画像を拡大した後に拡大画像の左右の領域をクリップして出力サイズに適合させているが、入力画像を９００×１２００画素に拡大した後に、この拡大画像のサイズと出力サイズと比較して、出力サイズが拡大画像のサイズと一致するように出力サイズを変更してもよい。例えば、第１の実施形態においては出力サイズは８００×１２００画素であることから、図５（ａ）に示すように出力サイズを９００×１２００画素に変更すればよい。これにより、出力画像は図５（ｂ）に示すように入力画像を３倍に拡大した拡大画像そのものとなる。
【００２６】
この場合、出力サイズのアスペクト比を変更することなく、図６（ａ）に示すように、出力サイズを９００×１３５０画素に変更してもよい。このように出力サイズを９００×１３５０画素に変更した場合、出力画像は図６（ｂ）に示すように上下に余白が生じることとなる。
【００２７】
また、入力画像を拡大する際に、出力サイズを越えないようにその拡大率を変更してもよい。例えば、第１の実施形態においては出力サイズが８００×１２００画素であることから、図７（ａ）に示すように、入力画像を８／３倍に拡大すれば拡大画像のサイズは８００×４００・８／３画素となり、拡大画像が出力サイズを超えることはなくなる。この場合、出力サイズは変更されないことから、出力画像は図７（ｂ）に示すように、その上下に余白が生じることとなる。なお、この場合、図８（ａ）に示すように出力サイズを８００×１２００画素から８００×４００・８／３画素に変更して図８（ｂ）に示すように余白のない出力画像を得るようにしてもよい。
【００２８】
次いで、本発明の第２の実施形態について説明する。図９は本発明の第２の実施形態における規格化手段２′の構成を示す概略ブロック図である。なお、第２の実施形態において読出手段および記録手段については第１の実施形態の読出手段１および記録手段３と同一であるため、ここでは詳細な説明は省略する。図９に示すように、第２の実施形態による規格化手段は、上記第１の実施形態と同様の判断手段５と、判断手段５において入力画像と出力サイズとの長手方向が異なるものと判断された場合に、入力画像を所定方向に回転する回転手段８と、回転された入力画像を出力サイズと適合するように拡大する拡大手段９と、出力画像データＳ１に入力画像を回転したことを表すプロパティを付与する付与手段１０とを備える。
【００２９】
ここで、付与手段１０において出力画像データＳ１に付与されるプロパティは、例えば入力画像を右回りに９０度回転した場合、これを左回りに９０度回転すれば元の入力画像の向きに戻ることから、「左回り９０度」という情報を表すものとなる。
【００３０】
次いで、第２の実施形態の動作について説明する。図１０は第２の実施形態の動作を示すフローチャートである。図１０に示すように、まず読出手段１において入力画像データＳ０が読み出されて規格化手段２′に入力される（ステップＳ１１）。規格化手段２においては、判断手段５にて入力画像の長手方向と、出力サイズの長手方向とが一致するか否かが判断される（ステップＳ１２）。上記図２（ａ），（ｂ）に示すように、入力画像と出力サイズとの長手方向が一致しないと、ステップＳ１２が否定されて、回転手段８において入力画像が回転される（ステップＳ１３）。このように入力画像が回転されると、拡大手段９において、出力サイズに適合するように、回転後の入力画像が拡大される（ステップＳ１４）。
【００３１】
例えば、入力画像のサイズは３００×４００画素であり、出力サイズは８００×１２００画素とされているため、まず、図１１（ａ）に示すように入力画像が右回りに９０度回転され、さらに回転された入力画像が３倍されて１２００×９００画素の拡大画像とされる。ここで、拡大画像のサイズは１２００×９００画素、出力サイズは１２００×８００画素であってアスペクト比が異なる。このため、第２の実施形態においては、図１１（ｂ）に示すように拡大画像における上下５０画素分の領域をクリップして（ステップＳ１５）、１２００×８００画素の拡大画像を作成し、これを出力画像とする。
【００３２】
このようにして１２００×８００画素の拡大画像が作成されると、入力画像が右回りに９０度回転されていることから、出力画像の長手方向を入力画像の長手方向と一致させるために必要な情報である「左回り９０度」のプロパティを、出力画像を表す出力画像データＳ１に付与する（ステップＳ１６）。プロパティが付与された出力画像データＳ１は、記録手段３においてＣＤ−Ｒに記録される、あるいは画像データベースに格納され（ステップＳ１７）、処理を終了する。
【００３３】
なお、入力画像と出力サイズの長手方向が一致してステップＳ１２が肯定された場合は、ステップＳ１４へ進み、ステップＳ４からステップＳ１７の処理が行われて出力画像データＳ１が得られる。なお、この場合、ステップＳ１６においては入力画像が回転されていない旨を表すプロパティが出力画像データＳ１に付与されるが、このプロパティは出力画像データＳ１に付与しなくともよい。
【００３４】
このように、第２の実施形態においては、入力画像と出力サイズとの長手方向が異なる場合に入力画像を回転し、さらに、回転した入力画像を出力サイズと適合するように拡大して出力画像データＳ１を得るとともに、入力画像を回転したことを表すプロパティを出力画像データＳ１に付与するようにしたため、入力画像は規格化の際に回転されるものの、出力画像データＳ１の再生時にこのプロパティを参照することにより、出力画像の天地方向を入力画像の天地方向と一致させることができ、これにより、入力画像を規格化する際に、入力画像の天地方向が変更されて違和感のある出力画像となることを防止することができる。
【００３５】
なお、第２の実施形態において出力画像データＳ１を再生する再生手段は、出力画像データＳ１に付与されたプロパティを読み出して、これに基づいて必要があれば出力画像データＳ１を回転して再生するものである。
【００３６】
上記第２の実施形態においては、回転後の入力画像を拡大した後に拡大画像の上下領域をクリップして出力サイズに適合させているが、回転後の入力画像を１２００×９００画素に拡大した後に、この拡大画像のサイズと出力サイズと比較して、出力サイズが拡大画像のサイズと一致するように出力サイズを変更してもよい。例えば、第２の実施形態においては出力サイズは１２００×８００画素であることから、図１２（ａ）に示すように出力サイズを１２００×９００画素に変更すればよい。これにより、出力画像は図１２（ｂ）に示すように回転後の入力画像を拡大した拡大画像そのものとなる。
【００３７】
この場合、出力サイズのアスペクト比を変更することなく、図１３（ａ）に示すように、出力サイズを１３５０×９００画素に変更してもよい。このように出力サイズを１３５０×９００画素に変更した場合、出力画像は図１３（ｂ）に示すように左右に余白が生じることとなる。
【００３８】
また、回転後の入力画像を拡大する際に、出力サイズを越えないようにその拡大率を変更してもよい。例えば、第２の実施形態においては出力サイズが１２００×８００画素であることから、図１４（ａ）に示すように、入力画像を８／３倍に拡大すれば拡大画像のサイズは４００・８／３×８００画素となり、拡大画像が出力サイズを超えることはなくなる。この場合、出力サイズは変更されないことから、出力画像は図１４（ｂ）に示すように、その左右に余白が生じることとなる。なお、この場合、図１５（ａ）に示すように出力サイズを１２００×８００画素から４００・８／３×８００画素に変更して図１５（ｂ）に示すように余白のない出力画像を得るようにしてもよい。
【００３９】
なお、上記第１および第２の実施形態においては、入力画像そのものを拡大しているが、入力画像からある領域を切り出し、この切り出された領域を規格化する場合にも出力画像の縦横比の変更あるいは領域内の画像を回転させることにより、上記第１および第２の実施形態と同様に、天地方向について違和感のない出力画像を表す出力画像データＳ１を得ることができる。
【００４０】
また、上記第１および第２の実施形態において、入力画像と出力サイズとが略同一である場合、例えば入力画像が３００×４００画素、出力サイズが４００×３００画素である場合は、入力画像は何ら拡大されることなく、出力画像とされることとなる。
【図面の簡単な説明】
【００４１】
【図１】本発明の第１の実施形態による画像規格化装置の構成を示す概略ブロック図
【図２】入力画像と出力サイズとを示す図
【図３】第１の実施形態の動作を示すフローチャート
【図４】第１の実施形態において行われる処理を示す図
【図５】第１の実施形態における他の処理を示す図
【図６】第１の実施形態における他の処理を示す図
【図７】第１の実施形態における他の処理を示す図
【図８】第１の実施形態における他の処理を示す図
【図９】本発明の第２の実施形態による画像規格化装置の構成を示す概略ブロック図
【図１０】第２の実施形態における処理を示すフローチャート
【図１１】第２の実施形態において行われる処理を示す図
【図１２】第２の実施形態における他の処理を示す図
【図１３】第２の実施形態における他の処理を示す図
【図１４】第２の実施形態における他の処理を示す図
【図１５】第２の実施形態における他の処理を示す図
【図１６】従来技術を説明するための図
【図１７】従来技術を説明するための図
【符号の説明】
【００４２】
１    読出手段
２    規格化手段
３    記録手段
５    判断手段
６    変更手段
７，９    拡大手段
８    回転手段
１０  付与手段
【図１】
2007020235.tif 000003
【図２】
2007020235.tif 000004
【図３】
2007020235.tif 000005
【図４】
2007020235.tif 000006
【図５】
2007020235.tif 000007
【図６】
2007020235.tif 000008
【図７】
2007020235.tif 000009
【図８】
2007020235.tif 000010
【図９】
2007020235.tif 000011
【図１０】
2007020235.tif 000012
【図１１】
2007020235.tif 000013
【図１２】
2007020235.tif 000014
【図１３】
2007020235.tif 000015
【図１４】
2007020235.tif 000016
【図１５】
2007020235.tif 000017
【図１６】
2007020235.tif 000018
【図１７】
2007020235.tif 000019